(57)【要約】【課題】特別図柄始動手段及び大入賞手段の全体の上下方向の寸法を小さくでき、遊技領域や可動式演出手段の配設領域を拡張できる弾球遊技機を提供する。【解決手段】遊技球が流下する遊技領域を有する遊技盤７に、入賞した遊技球を遊技盤７の裏側へと案内する特別図柄始動手段１５と大入賞手段１６とを上下に隣接して設けた弾球遊技機において、特別図柄始動手段１５に入賞した遊技球を検出する第２特別図柄用入賞検出センサ６２を、大入賞手段１６の背面視で当該大入賞手段１６の範囲内に形成した被装着部６０に装着するように構成したものである。【選択図】図３
2013192843.tif 000002
【特許請求の範囲】
【請求項１】
遊技球が流下する遊技領域を有する遊技盤に、入賞した遊技球を当該遊技盤の裏側へと案内する第１入賞手段と第２入賞手段とを上下に隣接して設けた弾球遊技機において、前記第１入賞手段に入賞した遊技球を検出する第１入賞用検出手段を、前記第２入賞手段の背面視で当該第２入賞手段の範囲内に形成した被装着部に装着することを特徴とする弾球遊技機。
【請求項２】
前記被装着部は、前記範囲内のうち前記第２入賞手段の上部側箇所で且つ前記第１入賞手段が対応する箇所に形成されていることを特徴とする請求項１に記載の弾球遊技機。
【請求項３】
前記第１入賞手段は、前記遊技盤の前側に形成されて遊技球が入賞可能な入賞口部と、前記入賞口部に連通して前記遊技盤の裏側へ遊技球を下り傾斜案内する奥行案内通路と、前記奥行案内通路の下流側に形成された下向きの排出口と、を備え、前記第１入賞用検出手段は、遊技球が通過可能な貫通孔を備え、当該貫通孔への遊技球の通過検知をするものであり、前記被装着部に装着された前記第１入賞用検出手段の前記貫通孔は、前記排出口の直下に位置し且つ当該排出口からの遊技球が入球可能であることを特徴とする請求項２に記載の弾球遊技機。
【請求項４】
前記第１入賞手段は、第１上側入賞手段と第１下側入賞手段とが上下に隣接して配設されたものであり、前記第１入賞用検出手段は、前記第１下側入賞手段に入賞した遊技球を検出する第１下側入賞用検出手段であり、前記第１上側入賞手段と前記第１下側入賞手段と前記第２入賞手段の各排出通路を前記第２入賞手段の背面視で横並びに形成することを特徴とする請求項１から３の何れかに記載の弾球遊技機。
【請求項５】
前記第１上側入賞手段は、前記遊技盤の前側に形成されて遊技球が入賞可能な上側入賞口部と、前記上側入賞口部に連通して前記遊技盤の裏側へ遊技球を下り傾斜案内する上側入賞用奥行通路と、前記上側入賞用奥行通路の奥側底部に形成された底部開口と連通する垂下通路と、前記垂下通路に設けられた第１上側入賞用検出手段と、前記垂下通路の下端側の側壁箇所に形成された横開口と、を備え、前記第２入賞手段は、前記第１上側入賞手段の前記排出通路として、前記横開口からの遊技球を当該第２入賞手段の正面視で横向き下り傾斜で案内する横向き下り通路と、前記横向き下り通路で案内された遊技球を奥方向又は下方向に排出する排出部とを備えることを特徴とする請求項４に記載の弾球遊技機。
【請求項６】
前記第１上側及び第１下側入賞用検出手段は、遊技球が通過可能な貫通孔を備え、当該貫通孔への遊技球の通過検知をするものであり、前記第１上側入賞用検出手段及び前記第１下側入賞用検出手段は、その各貫通孔を垂下方向に向けた状態で上下に位置すると共に平面視で前記各貫通孔が重ならないように前後方向を逆向きに配設していることを特徴とする請求項５に記載の弾球遊技機。
【請求項７】
前記第１，第２入賞手段は、前記遊技盤に形成された装着孔に挿入して装着され、前記第１，第２入賞手段の前記遊技盤への挿入状態では前記第１又は第２入賞手段の一方の取り外しをその他方が阻むように係止する係止手段を備えることを特徴とする請求項１から６の何れかに記載の弾球遊技機。
【発明の詳細な説明】
【技術分野】
【０００１】
本発明は、パチンコ機等の弾球遊技機に関するものである。
【背景技術】
【０００２】
パチンコ機等の弾球遊技機は、遊技盤の遊技領域の略中央に画像表示手段を配置し、この画像表示手段と遊技領域の最下部のアウト球口との間に特別図柄始動手段と大入賞手段とを上下に配置し、その特別図柄始動手段に遊技球が入賞したときにその遊技球を検出して特別図柄表示手段の特別図柄が所定時間変動し、変動後の特別図柄が大当たり図柄で停止したときに大入賞手段が開放して多数の遊技球が入賞し易くなり、その入賞数に応じて多数の遊技球を賞球として払い出すようになっている。
【０００３】
特別図柄始動手段は常時開放式の入賞口と、開閉部材により開閉される開閉式の入賞口とを遊技盤の前側に上下に配置すると共に、各入賞口の後方側の上下に、各入賞口に入賞した遊技球を遊技盤の裏側へと案内する樋状の案内通路を配置し、この上下の案内通路間に開閉部材を開閉する開閉駆動手段を配置して、何れの入賞口に遊技球が入賞したときにも特別図柄が変動するようにしている（例えば特許文献１）。
【先行技術文献】
【特許文献】
【０００４】
【特許文献１】特開２００４−２４９１４２号公報
【発明の概要】
【発明が解決しようとする課題】
【０００５】
近年の弾球遊技機では、遊技領域を拡大して大型の画像表示手段を配置する一方、画像表示手段の画像表示部の側方等に大型の可動式演出手段等を設ける傾向にある。このため画像表示手段等の大型化に伴って遊技球の転動領域が著しく制限され、その狭い領域に特別図柄始動手段、大入賞手段等の遊技部品を接近させて配置する必要があり、特別図柄始動手段の小型化が望まれている。
【０００６】
しかしながら、前述した従来の特別図柄始動手段は、遊技盤の前面側に、常時開放式の入賞口と開閉式の入賞口とを上下に隣接して配置し、各案内通路間に開閉駆動手段の開閉機構部を配設したものであり、遊技盤における特別図柄始動手段が対応する背面箇所に設けられた入賞球処理機構部品は、特別図柄始動手段に入賞した遊技球を案内する上下の玉通路と、上側の玉通路の下流端箇所に配設された入賞センサと、開閉駆動手段における開閉機構部を駆動させる駆動源（例えばソレノイド）とを備えたものであり、この入賞球処理機構部品の下側に大入賞手段が配置された構成であるため、遊技盤の正面視で特別図柄始動手段と大入賞手段との間隔が遊技球数個分程度の距離を空けた状態となっており、特別図柄始動手段の全体の上下方向の寸法を小さくすることが難しいという問題がある。
【０００７】
本発明は、上記事情に鑑みてなされたものであり、特別図柄始動手段及び大入賞手段の全体の上下方向の寸法を小さくでき、遊技領域や可動式演出手段の配設領域を拡張できる弾球遊技機を提供することを目的とする。
【課題を解決するための手段】
【０００８】
本発明は、遊技球が流下する遊技領域１２を有する遊技盤７に、入賞した遊技球を当該遊技盤７の裏側へと案内する第１入賞手段１５と第２入賞手段１６とを上下に隣接して設けた弾球遊技機において、前記第１入賞手段１５に入賞した遊技球を検出する第１入賞用検出手段６２を、前記第２入賞手段１６の背面視で当該第２入賞手段１６の範囲内に形成した被装着部６０に装着するものである。
【０００９】
また、前記被装着部６０は、前記範囲内のうち前記第２入賞手段１６の上部側箇所で且つ前記第１入賞手段１５が対応する箇所に形成されているとしてもよい。また、前記第２入賞手段１６は、前側に開口部５１が形成され且つ当該開口部５１を通して複数個の遊技球が入球可能な容器本体部５４と、前記開口部５１を開閉可能な開閉部材５２と、を備え、前記被装着部６０は、前記範囲内であって当該第２入賞手段１６の背面視で前記容器本体部５４の領域内の上部箇所や前記開口部５１の領域内の上部箇所に形成するとしてもよい。また、前記第２入賞手段１６は、その背後側に、前記第１入賞用検出手段６２が着脱可能なように前記被装着部６０を露出形成してもよい。また、前記第２入賞手段１６は、前記容器本体部５４に入球した遊技球を検出する第２入賞用検出手段５６が取り付けられる被取付部５９を備え、当該被取付部５９に取り付けられた前記第２入賞用検出手段５６の取り外し側箇所に、前記被装着部６０への装着状態の前記第１入賞用検出手段６２を配置するようにしてもよい。
【００１０】
また、前記第１入賞手段１５は、前記遊技盤７の前側に形成されて遊技球が入賞可能な入賞口部３２と、前記入賞口部３２に連通して前記遊技盤７の裏側へ遊技球を下り傾斜案内する奥行案内通路３０，３８と、前記奥行案内通路３０，３８の下流側に形成された下向きの排出口３８ｂと、を備え、前記第１入賞用検出手段６２は、遊技球が通過可能な貫通孔６２ａを備え、当該貫通孔６２ａへの遊技球の通過検知をする第１下側入賞用検出手段６２であり、前記被装着部６０に装着された前記第１入賞用検出手段６２の前記貫通孔６２ａは、前記排出口３８ｂの直下に位置し、且つ、当該排出口３８ｂからの遊技球が入球可能であるとしてもよい。なお、奥行案内通路３０，３８はその通路面が緩やかに下り傾斜したものが挙げられる。例えば、入賞口部３２の下り傾斜（案内リブ３２ａ）よりも緩やかな下り傾斜としてもよい。また、奥行案内通路３０，３８の勾配は、例えば、その垂直距離（例えば遊技球の直径の１／４以下の距離）対水平距離（例えば遊技球の１個以上で２個以下の距離）の比とすることが挙げられる。
【００１１】
また、前記第１入賞手段１５は、第１上側入賞手段１５ａと第１下側入賞手段１５ｂとが上下に隣接して配設されたものであり、前記第１入賞用検出手段６２は、前記第１下側入賞手段１５ｂに入賞した遊技球を検出する第１下側入賞用検出手段６２であり、前記第１上側入賞手段１５ａと前記第１下側入賞手段１５ｂと前記第２入賞手段１６の各排出通路７１〜７３を前記第２入賞手段１６の背面視で横並びに形成してもよい。
【００１２】
また、前記第１上側入賞手段１５ａは、前記遊技盤７の前側に形成されて遊技球が入賞可能な上側入賞口部３１と、前記上側入賞口部３１に連通して前記遊技盤７の裏側へ遊技球を下り傾斜案内する上側入賞用奥行通路２９，３５と、前記上側入賞用奥行通路３５の奥側底部に形成された底部開口３５ａと連通する垂下通路３６と、前記垂下通路３６に設けられた第１上側入賞用検出手段３７と、前記垂下通路３６の下端側の側壁箇所に形成された横開口３９と、を備え、前記第２入賞手段１６は、前記第１上側入賞手段１５ａの前記排出通路７１として、前記横開口３９からの遊技球を当該第２入賞手段１６の正面視で横向き下り傾斜で案内する横向き下り通路７１ａと、前記横向き下り通路７１ａで案内された遊技球を奥方向又は下方向に排出する排出部７１ｂとを備えるように構成してもよい。
【００１３】
また、前記第１上側及び第１下側入賞用検出手段３７，６２は、遊技球が通過可能な貫通孔３７ａ，６２ａを備え、当該貫通孔３７ａ，６２ａへの遊技球の通過検知をするものであり、前記第１上側入賞用検出手段３７及び前記第１下側入賞用検出手段６２は、その各貫通孔３７ａ，６２ａを垂下方向に向けた状態で上下に位置すると共に平面視で前記各貫通孔３７ａ，６２ａが重ならないように前後方向を逆向きに配設してもよい。また、前記第１下側入賞用検出手段６２は、前記第１上側入賞手段１５ａの前記垂下通路３６の下方で隙間Ｄを空けて配設されるとしてもよい。また、前記被装着部６０は、前記第２入賞手段１６の平面視で前記第１下側入賞用検出手段６２の装着方向先端側の上面箇所を覆う被覆部６６を備えるようにしてもよい。
【００１４】
また、前記第１，第２入賞手段１５，１６は、前記遊技盤７に形成された装着孔２５に挿入して装着され、前記第１，第２入賞手段１６の前記遊技盤７への挿入状態では前記第１又は第２入賞手段１５，１６の一方の取り外しをその他方が阻むように当該第１入賞手段１５と第２入賞手段１６とが係止する係止手段７５を備えるようにしてもよい。なお、前記係止手段７５は、前記第１，第２入賞手段１５，１６の前記遊技盤７への挿入状態では前記第１入賞手段１５の取り外しを前記第２入賞手段１６が阻むように当該第１入賞手段１５と第２入賞手段１６とが係止する構成が挙げられる。また、前記係止手段７５は、前記とは逆に、前記第１，第２入賞手段１５，１６の前記遊技盤７への挿入状態では前記第２入賞手段１６の取り外しを前記第１入賞手段１５が阻むように当該第１入賞手段１５と第２入賞手段１６とが係止する構成としてもよい。
【発明の効果】
【００１５】
本発明によれば、特別図柄始動手段及び大入賞手段の全体の上下方向の寸法を小型化でき、遊技領域や可動式演出手段の配設領域を拡張できる弾球遊技機を提供することができる。
【図面の簡単な説明】
【００１６】
【図１】本発明の一実施形態に係るパチンコ機の全体正面図である。
【図２】同パチンコ機の遊技盤の要部の正面図である。
【図３】同要部の背面図である。
【図４】同遊技盤の特別図柄始動手段及び大入賞手段の前方右上から見た斜視図である。
【図５】同特別図柄始動手段及び大入賞手段の後方右下から見た斜視図である。
【図６】同特別図柄始動手段及び大入賞手段の平面図である。
【図７】同遊技盤の要部のＡ−Ａ線断面図である。
【図８】同大入賞手段のＢ−Ｂ線断面図である。
【図９】同大入賞手段の普通入賞手段箇所を示すＣ−Ｃ線断面図である。
【図１０】同特別図柄始動手段及び大入賞手段のＤ−Ｄ線断面図である。
【図１１】同特別図柄始動手段及び大入賞手段のＥ−Ｅ線断面図である。
【図１２】同特別図柄始動手段及び大入賞手段のＦ−Ｆ線断面図である。
【図１３】同大入賞手段の後方右上から見た斜視図である。
【図１４】同特別図柄始動手段を後方右上から見た斜視図である。
【図１５】同特別図柄始動手段の分解斜視図である。
【発明を実施するための形態】
【００１７】
以下、本発明の実施形態を図面に基づいて詳述する。図１〜図１５は本発明をパチンコ機に採用した一実施形態を例示している。図１において、遊技機本体１は、矩形状の外枠２と、この外枠２の前面側に着脱、開閉自在に取り付けられた前枠３とを備えている。前枠３は、左端側の上下一対のヒンジ４Ａを介して外枠２に着脱及び開閉自在に装着されている。
【００１８】
前枠３の前側には、ヒンジ４Ａと同一側のヒンジ手段４Ｂにより開閉自在なガラス扉５と、ヒンジ４Ａと同一側のヒンジ手段４Ｃにより開閉自在な開閉扉６と、が上下に配置されている。前枠３は、ガラス扉５の裏側に対応する箇所に、遊技盤７が前側から着脱自在に装着され、また開閉扉６の裏側に対応する箇所に、発射手段（図示省略）が装着されている。開閉扉６は、発射用の遊技球を貯留する球供給皿９と、発射手段を作動させるための発射ハンドル１０と、球供給皿９が満杯状態のときの余剰球を貯留する下貯留皿８とを備えている。発射手段は、発射ハンドル１０を操作したときに作動して、球供給皿９から供給される遊技球を１個ずつ遊技盤７側へと発射させるようになっている。
【００１９】
遊技盤７は、発射手段（図示省略）から発射された遊技球を遊技領域１２の上部側へと案内するガイドレール１１と、ガラス扉５の窓孔に対応する大きさで遊技球が流下する遊技領域１２とを備えている。
【００２０】
遊技領域１２には、上下方向の略中央に画像表示手段１３が配置され、この画像表示手段１３と遊技領域１２の最下部のアウト球口１４との間に、特別図柄始動手段（第１入賞手段）１５と大入賞手段  （第２入賞手段）１６とが上下方向に互いに隣接して配置されている。また、遊技領域１２における画像表示手段１３の側方（例えば左側箇所）に普通図柄始動手段１７が配置されている。また、大入賞手段１６は、その左右両端箇所に普通入賞手段１８をそれぞれ備えている。また、遊技領域１２における大入賞手段１６の左右両側箇所に普通入賞手段１８が夫々配置されている。
【００２１】
画像表示手段１３は、演出図柄１９その他の演出画像を表示する液晶式等の画像表示部２０と、この画像表示部２０を支持するセンターケース２１とを備えている。また、センターケース２１は、その所定箇所（本実施形態では例えば上部右側箇所）に普通図柄表示手段２２及び特別図柄表示手段２３を備えている。
【００２２】
普通図柄表示手段２２は、例えば通過ゲート等よりなる普通図柄始動手段１７が遊技球を検出することを条件に普通図柄を所定時間変動させ、普通図柄始動手段１７による遊技球検出時に取得された当たり判定乱数値が予め定められた当たり判定値と一致する場合には当たり態様で、それ以外の場合には外れ態様で変動を停止させるようになっている。
【００２３】
特別図柄表示手段２３は、例えば７セグメント式等の表示手段により構成され、特別図柄始動手段１５の後述する上特別始動口３１と下特別始動口（入賞口部）３２（図２参照）の何れかに遊技球が入賞することを条件に特別図柄を所定時間変動させ、上特別始動口３１（上側入賞口部）又は下特別始動口３２への入賞時に取得された大当たり判定乱数値が予め定められた大当たり判定値と一致する場合には所定の大当たり態様で、それ以外の場合には外れ態様で停止させるようになっている。
【００２４】
なお、画像表示手段１３は、例えば特別図柄表示手段２３による特別図柄の変動表示と並行して演出図柄１９を画像表示部２０に変動表示するもので、１個又は複数個、例えば左右方向に３個の演出図柄１９を各種の演出画像と共に画像表示部２０上で変動表示可能に構成されており、特別図柄始動手段１５の上特別始動口３１及び下特別始動口３２の何れかに遊技球が入賞することを条件に特別図柄の変動開始と同時に所定の変動パターンに従って演出図柄１９の変動を開始すると共に、特別図柄の変動停止と同時に最終停止するように、演出図柄１９を左、右、中等の所定の順序で停止表示する。例えば、特別図柄が大当たり図柄で停止したときには３個の演出図柄１９が一致又は同種の大当たり図柄で停止表示され、特別図柄が外れ図柄で停止したときには演出図柄１９が外れ図柄で停止表示される。
【００２５】
特別図柄始動手段１５は、図２、図４及び図７に示すように、特別図柄表示手段２３による図柄変動を開始させるためのものであり、例えば非開閉式の上特別始動口３１を有する第１特別図柄始動手段  （第１上側入賞手段）１５ａと、上特別始動口３１の直下に位置する開閉式の下特別始動口３２を有する第２特別図柄始動手段（第１下側入賞手段）１５ｂとを備えており、普通図柄表示手段２２の変動後の停止図柄が当たり態様となって普通利益状態が発生したときに、下特別始動口３２を所定時間、所定回数だけ開放するように構成されている。
【００２６】
上特別始動口３１は、図４に示すように、遊技球が入賞（入球）可能な大きさで上側に向けて開口形成された形状としている。また、第２特別図柄始動手段１５ｂは、図４に示すように、下特別始動口３２を開閉可能な一対の羽根部材３３を備え、この羽根部材３３が閉状態になると下特別始動口３２への遊技球の入賞（入球）が不可能であり、開状態になると下特別始動口３２へ遊技球が入賞可能となっている。
【００２７】
なお本実施形態では、第２特別図柄始動手段１５ｂは、羽根部材３３が閉状態では遊技球の入賞が不可能であるが、羽根部材３３が閉状態では開状態に比べて遊技球が入賞し難いものを採用してもよい。
【００２８】
大入賞手段１６は、図４、図７に示すように、遊技球が入賞可能な開状態と入賞不可能な閉状態とに切り換え可能な開閉式入賞手段としている。具体的には、大入賞手段１６は、複数個の遊技球が同時に入賞可能な大きさの例えば横長矩形状の大入賞口（開口部）５１と、この大入賞口５１を開閉可能な開閉板５２とを備え、特別図柄表示手段２３の変動後の停止図柄が大当たり態様となることに基づいて特別利益状態が発生したときに所定の開放パターンに従って開閉板５２を開状態にして大入賞口５１を開放し、開状態の開閉板５２上に落下した遊技球を、大入賞口５１を通じて内部へと入賞させるようになっており、またその入賞した遊技球を遊技盤７の裏側に排出するようになっている。
【００２９】
なおここで、特別図柄始動手段１５の第１及び第２特別図柄始動手段１５ａ，１５ｂの入賞球経路と、大入賞手段１６の入賞球経路とについて、図２及び図３を用いて簡単に説明する。
【００３０】
まず、第１特別図柄始動手段１５ａの上特別始動口３１に入賞した遊技球は、図２，図３に一点鎖線矢印で示すように、正面視で奥向きに（例えば３ｃｍ程度）進行後に下方向に流下し、当該特別図柄始動手段１５の下部箇所で横方向（正面視で左横方向）に進路方向が変更されて、大入賞手段１６に形成された通路（図３に示す第１排出通路７１）により正面視で横下り案内されて最終的に下方向へ排出される。なお、この上特別始動口３１に入賞した遊技球は、特別図柄始動手段１５の内部に設けられた第１特別図柄用入賞検出センサ３７（例えば近接センサ）によって通過検出される。
【００３１】
また、第２特別図柄始動手段１５ｂの下特別始動口３２に入賞した遊技球は、図２，図３に二点鎖線矢印で示すように、正面視で奥向きに（例えば２ｃｍ程度）進行後に下方向に流下し、大入賞手段１６に形成された通路（図３に示す第２排出通路７２）によりそのまま真下方向に案内排出される。なお、この下特別始動口３２に入賞した遊技球は、大入賞手段１６に設けた第２特別図柄用入賞検出センサ  （第１入賞用検出手段、第１下側入賞用検出手段）６２（例えば近接センサ）によって通過検出される。
【００３２】
また、大入賞手段１６に入賞した遊技球は、図２，図３に破線矢印で示すように、大入賞口５１内を正面視で左横方向に案内されて左寄り奥側箇所に形成された排出口５７ｅを通じて奥側に出され、大入賞手段１６に形成された通路（図３に示す第３排出通路７３）により下方に排出されるようになっている。なお、この大入賞口５１に入賞した遊技球は、大入賞手段１６の大入賞用入賞検出センサ（第２入賞用検出手段）５６（例えば近接センサ）によって通過検出される。
【００３３】
以下に、特別図柄始動手段１５及び大入賞手段１６の構成について詳細に説明する。
【００３４】
遊技盤７の遊技領域１２の正面視下部箇所には、図２、図３に示すように、例えばルータ加工によって略逆Ｔ字状の装着孔２５が形成され、この逆Ｔ字状の装着孔２５のうち横長領域箇所２５ａに大入賞手段１６が、この逆Ｔ字状の装着孔２５のうちで横長領域箇所２５ａ以外の箇所である上部突出領域箇所２５ｂに特別図柄始動手段１５が、それぞれ挿入された状態で遊技盤７に取り付けられている。なお、装着孔２５の前端は、特別図柄始動手段１５の後述する前飾り台板２８及び大入賞手段１６の後述する前飾り板５３により塞がれている。
【００３５】
特別図柄始動手段１５は、図４〜図７、図１４及び図１５に示すように、遊技盤７の前側から取り付けられ且つ後方部分が遊技盤７の装着孔２５内に挿入される前本体部２６と、この前本体部２６の背後に位置する後本体部２７とを備えている。特別図柄始動手段１５は、前本体部２６の後述する前飾り台板２８が遊技盤７の前面に着脱自在に装着され、前本体部２６が遊技盤７の装着孔２５に挿入して後本体部２７が遊技盤７の裏側へ突出している。
【００３６】
前本体部２６は、図７に示すように、遊技盤７の前側にネジ止め固定される前飾り台板２８と、この前飾り台板２８の前側で且つ上下に隣接して配置形成された上特別始動口３１及び下特別始動口３２と、この前飾り台板２８の後側に突出形成され且つ上特別始動口３１に連通して遊技盤７の裏側へ遊技球を奥方向に緩やかに下り案内する上側用奥行通路２９と、この前飾り台板２８の後側に突出形成され且つ下特別始動口３２に連通して遊技盤７の裏側へ遊技球を奥方向に緩やかに下り案内する下側用奥行通路３０と、を備えている。
【００３７】
上特別始動口３１は、図６、図７に示すように、その開口部内で前側箇所に奥向きに下り傾斜（例えば４５°程度の勾配）した案内リブ３１ａを備えている。また、下特別始動口３２も、図６、図７に示すように、その開口部内で前側箇所に奥向きに下り傾斜（例えば４０°程度の勾配）した案内リブ３２ａを備えている。なお、これらの案内リブ３１ａ，３２ａはその他の勾配としてもよいし、曲線形状等としてもよい。
【００３８】
また、上側用奥行通路２９及び下側用奥行通路３０は、例えばその通路の勾配を、その垂直距離（例えば遊技球の直径の１／４以下の距離）対水平距離（例えば遊技球の１個以上で２個以下の距離）の比とすることが挙げられる。
【００３９】
本実施形態では、上側用奥行通路２９及び下側用奥行通路３０は、図７に示すように、その通路の垂直距離が例えば３ｍｍで水平距離が例えば１７ｍｍ程度であり、その通路が例えば１０°程度の勾配とした緩やかな傾斜通路としている。なお、上側用奥行通路２９及び下側用奥行通路３０を、前記以外の勾配としたり、曲線形状としたり、略水平としたりしてもよい。
【００４０】
下特別始動口３２は、図１２、図１５に示すように、前飾り台板２８の前側に取り付けられる羽根前飾り部３４と、羽根前飾り部３４と前本体部２６との間で支持ピン３３ａを開閉軸心として開閉可能に支持される一対の羽根部材３３とにより形成される始動口としている。また、図１２に示すように、一対の羽根部材３３は、正面視で支持ピン３３ａよりも内側位置で背後方向に突出形成された円柱突起部３３ｂを備え、この円柱突起部３３ｂは、前飾り台板２８に形成された円弧状孔２８ａに挿入され、且つ、この円弧状孔２８ａから突き出た円柱突起部３３ｂの先端が後述するレバー部材４４の先端の介装部４４ｄに介装された状態となっており、レバー部材４４の介装部４４ｄが上方向に移動すると一対の羽根部材３３が開状態になり、介装部４４ｄが下方向に移動すると一対の羽根部材３３が閉状態となる。
【００４１】
後本体部２７は、図１４、図１５に示すように、前本体部２６の背後側に位置する裏カバー２７ａと、この裏カバー２７ａの背後側に位置するホルダー部材２７ｂと、を備えている。前本体部２６とホルダー部材２７ｂとの間に裏カバー２７ａを挟んだ状態で、ホルダー部材２７ｂを前本体部２６にネジ止めしている。
【００４２】
具体的には、図１５に示すように、前本体部２６は、その背面側左右箇所にそれぞれ突出形成された一対の取付ボス２６ａを備え、この取付ボス２６ａの先端面箇所に雌ねじ部（図示省略）が形成されている。また、裏カバー２７ａは、前本体部２６の取付ボス２６ａが挿入される挿入孔２７ｃを備えている。また、ホルダー部材２７ｂは、裏カバー２７ａの挿入孔２７ｃに挿入された取付ボス２６ａの先端が挿入されるボス挿入部２７ｄを備え、このボス挿入部２７ｄにはその取付ボス２６ａの挿入方向に貫通したネジ孔２７ｅが形成されている。前本体部２６の取付ボス２６ａを裏カバー２７ａの前側から挿入孔２７ｃに挿入し、この取付ボス２６ａの先端をホルダー部材２７ｂのボス挿入部２７ｄに挿入した状態で、当該ホルダー部材２７ｂのネジ孔２７ｅにネジを挿入して取付ボス２６ａの先端の雌ねじ部  （図示省略）に螺入することで、前本体部２６と後本体部２７とが一体化されている。
【００４３】
裏カバー２７ａは、図７に示すように、前本体部２６の上側用奥行通路２９と連通して奥方向に緩やかに下り案内する連通奥側通路３５と、この連通奥側通路３５の奥側底部に形成された底部開口３５ａと連通する垂下通路３６と、この垂下通路３６に設けられ且つ当該垂下通路３６を通過する遊技球を検出する第１特別図柄用入賞検出センサ（第１上側入賞用検出手段）３７と、前本体部２６の下側用奥行通路３０に連通し且つ遊技球を下向きに案内する下向き案内通路３８とを備えている。連通奥側通路３５は、図７に示すように、その通路の垂直距離が例えば１ｍｍで水平距離が例えば１６ｍｍ程度であり、その勾配が例えば５°程度の緩やかな傾斜通路としている。上述した下側用奥行通路３０及び下向き案内通路３８は奥行案内通路に相当し、上側用奥行通路２９及び連通奥側通路３５は上側入賞用奥行通路に相当する。なお、連通奥側通路３５を、前記以外の勾配としたり、曲線形状としたり、略水平としたりしてもよい。
【００４４】
連通奥側通路３５は、図７に示すように、その奥側天井箇所に、奥方向に進むに連れて下方向突出量が多くなるように下り傾斜（例えば４５°）で形成された下がり傾斜天井部３５ｂを備えており、この下がり傾斜天井部３５ｂによって遊技球の進行方向が底部開口３５ａに向かうように案内されている。なお、下がり傾斜天井部３５ｂを前記以外の勾配としたり、曲線形状としたりしてもよいし、リブ形状としてもよい。
【００４５】
また、下向き案内通路３８は、図７、図１０に示すように、裏カバー２７ａの下部奥側壁の前面上部箇所に、奥方向に進むに連れて下方向突出量が多くなるように下り傾斜（例えば４０°）で形成された下り傾斜リブ３８ａを備えており、この下り傾斜リブ３８ａによって遊技球の進行方向が下向きに案内されている。また、この下向き案内通路３８の下流側には、下向きの排出口３８ｂが形成されている。なお、下り傾斜リブ３８ａを前記以外の勾配としたり、曲線形状としたりしてもよい。
【００４６】
ホルダー部材２７ｂは、図７、図１４に示すように、垂下通路３６からの遊技球を、正面視で左下角部の側壁下部箇所に形成された横開口３９から排出する横案内通路４０と、一対の羽根部材３３を駆動するソレノイド４１を保持する保持部４２とを備えている。
【００４７】
横案内通路４０は、図７、図１１及び図１４に示すように、特別図柄始動手段１５の正面視で保持部４２の手前側位置の仕切り壁部４２ａと、この仕切り壁部４２ａの前面箇所に突出形成され且つ垂下通路３６からの遊技球を案内する通路面が特別図柄始動手段１５の正面視で左側に曲がった湾曲通路面４３とを備えている。
【００４８】
ソレノイド４１は、図７、図１５に示すように、そのプランジャー４１ａを上方に向けた上向き姿勢で保持部４２に装着されている。このプランジャー４１ａの先端の円盤部４１ｂは、平面視でコの字状のレバー部材４４の基端部４４ａに取り付けられている。
【００４９】
レバー部材４４は、図１５に示すように、基端部４４ａの平面視で両端箇所から前方に延びた、側面視で略Ｓ字状の一対のアーム部４４ｂと、この一対のアーム部４４ｂの基端側に近い側部箇所にそれぞれ突出形成された軸部４４ｃと、このアーム部４４ｂの先端に設けられ、一対の羽根部材３３の背後箇所に突出形成された円柱突起部３３ｂを介装する介装部４４ｄとを備えている。
【００５０】
アーム部４４ｂの軸部４４ｃは、図４、図５及び図１１に示すように、裏カバー２７ａとホルダー部材２７ｂとの間に形成された軸孔部２７ｆに挿入された状態となっており、後述するようにソレノイド４１のプランジャー４１ａが進出状態と吸引状態とに変化することで、アーム部４４ｂの軸部４４ｃを軸心としてレバー部材４４が回動可能（例えば３０度程度の回動）となっている。
【００５１】
具体的には、ソレノイド４１が非通電状態では、図７に示すようにプランジャー４１ａがコイルばね４１ｃの付勢力により進出状態となっており、図１２に示すように、プランジャー４１ａが進出状態であることでレバー部材４４の先端の介装部４４ｄが下側位置にあり、この介装部４４ｄに介装された円柱突起部３３ｂが前本体部２６の円弧状孔２８ａ内の下側位置に位置し、一対の羽根部材３３が閉状態となっている。これに対して、ソレノイド４１が通電状態となると、プランジャー４１ａがソレノイド４１内部に吸引された吸引状態となり、プランジャー４１ａの吸引状態に連動してレバー部材４４が回動してその先端の介装部４４ｄが上側位置に移動し、この介装部４４ｄに介装された円柱突起部３３ｂが前本体部２６の円弧状孔２８ａ内の上側位置に位置し、一対の羽根部材３３が開状態となる。
【００５２】
続いて、大入賞手段１６について説明する。大入賞手段１６は、図２、図４、図７に示すように、大入賞口５１が形成された前飾り板５３と、この前飾り板５３の裏側に設けられた入賞ケース（容器本体部）５４と、大入賞口５１を開閉する開閉板（開閉部材）５２と、この開閉板５２を開閉駆動するソレノイド等の開閉駆動手段５５（図４、図５、図１３参照）と、大入賞口５１に入賞した遊技球を検出する大入賞用入賞検出センサ５６とを備えている。大入賞手段１６は、前飾り板５３が遊技盤７の前面に着脱自在に装着され、図７に示すように入賞ケース５４が遊技盤７の装着孔２５に挿入して裏側へ突出している。
【００５３】
入賞ケース５４は、図５〜図７に示すように、前飾り板５３の裏側に設けられ且つ入賞した遊技球を正面視で左横方向に案内する通路空間を内部に形成する前側箱部５４ａと、この前側箱部５４ａの裏側に設けられ且つ開閉駆動手段５５を備えた後側箱部５４ｂとを備えている。まず、前側箱部５４ａを後側箱部５４ｂの前側にネジ止めし、その後に、前飾り板５３を前側箱部５４ａにネジ止めすることでこれらが一体化されている。
【００５４】
前側箱部５４ａは、図１２に示すように、前側が横長に開口した横長有底箱形状としている。この前側箱部５４ａは、正面視で左横向きに下り傾斜して遊技球１個分程度の奥行きとした下り傾斜底部５７ａと、この下り傾斜底部５７ａの奥端に立設された奥壁部５７ｂと、この下り傾斜底部５７ａの左右両端に立設された両側壁部５７ｃと、この下り傾斜底部５７ａの上方に位置し且つ奥壁部５７ｂ及び両側壁部５７ｃの上端と連結する天壁部５７ｄと、大入賞口５１の正面視で左寄り奥側箇所つまり奥壁部５７ｂの左端箇所に形成された、大入賞口５１に入賞した遊技球を奥側に排出する排出口５７ｅとを備えている。
【００５５】
後側箱部５４ｂは、図４、図５に示すように横長略箱形状としている。この後側箱部５４ｂは、図５、図１３に示すように、その左側箇所に、開閉駆動手段５５が収容される収容部５８を備えている。
【００５６】
開閉板５２は、図１２に示すように、正面視で両端下部側箇所に軸部５２ａを備え、前飾り板５３における大入賞口５１の両端下部側箇所に形成された軸支部５１ａに、軸部５２ａが軸支されている。開閉駆動手段５５（図４、図５、図１３参照）による動力が図示省略の伝達機構（例えばクランク機構）によって開閉板５２に伝達されることで、図８に実線で示す閉状態と図８に二点鎖線で示す開状態とに開閉板５２が軸部５２ａを回動軸心として回動変位可能となっている。
【００５７】
後側箱部５４ｂは、図５、図８に示すように、その前面側（前側箱部５４ａと対向する側）に、大入賞用入賞検出センサ５６が例えば横向き（図２参照）に取り付けられる被取付部５９を備えている。図８に示すように、大入賞用入賞検出センサ５６は、後側箱部５４ｂの被取付部５９に取り付けられた状態では、その貫通孔５６ａが前側箱部５４ａの排出口５７ｅに連通し、当該前側箱部５４ａの背面側に横向き姿勢で保持されている。
【００５８】
なお、大入賞用入賞検出センサ５６は、後側箱部５４ｂの単体状態においてその前面側の被取付部５９に着脱可能であり、後側箱部５４ｂの前面側に前側箱部５４ａを取り付けた状態では、大入賞用入賞検出センサ５６にアクセスできないため、大入賞用入賞検出センサ５６を被取付部５９から取り外すことができない。
【００５９】
また、被取付部５９に取り付けられた大入賞用入賞検出センサ５６の取り外し側箇所（図２では大入賞用入賞検出センサ５６の右側箇所）に、後述する被装着部６０への装着状態の第２特別図柄用入賞検出センサ６２を配置しているので、後側箱部５４ｂの単体状態において、被装着部６０に第２特別図柄用入賞検出センサ６２が装着されていない場合に大入賞用入賞検出センサ５６を被取付部５９から取り外すことができる。
【００６０】
さらに、大入賞手段１６は、図２、図１２及び図１３に示すように、第２特別図柄始動手段１５ｂの下特別始動口３２に入賞した遊技球を検出する第２特別図柄用入賞検出センサ６２も備えている。
【００６１】
具体的には、大入賞手段１６は、図３、図１３に示すように、その背面視で当該大入賞手段１６の範囲内（例えば入賞ケース５４の領域内）に形成した被装着部６０に、第２特別図柄用入賞検出センサ６２を装着している。この被装着部６０は、入賞ケース５４の上部側箇所で且つ特別図柄始動手段１５が対応する箇所（真下箇所）に形成されている。また、この被装着部６０は、図１２に示すように、大入賞口５１の領域内の上部箇所に位置していることがわかる。
【００６２】
また、被装着部６０は、図３、図５、図１３に示すように、第２特別図柄用入賞検出センサ６２が着脱可能なように大入賞手段１６の背後側に露出形成されている。つまり、図７に示すように、被装着部６０は、第２特別図柄用入賞検出センサ６２の先端が挿入される支持凹部６３と、支持凹部６３に先端が挿入された状態の第２特別図柄用入賞検出センサ６２の底面の両端及び後方箇所を支持する支持板部６４と、当該第２特別図柄用入賞検出センサ６２の後面に係止する係止部６５と、を備え、第２特別図柄用入賞検出センサ６２の後方部分及び係止部６５が露出した状態となっている。
【００６３】
支持凹部６３は、図７に示すように前側箱部５４ａの奥壁部５７ｂの背面箇所に窪み形成され、支持板部６４は、図３に示すように背面視で後側箱部５４ｂの略中央箇所に形成され、係止部６５は、図３に示すように背面視で後側箱部５４ｂの第２特別図柄用入賞検出センサ６２の右側箇所に形成されている。この係止部６５は、図３、図１３では右側箇所に、後述する横向き下り通路７１ａとの間に隙間が形成されており、係止解除方向（図３、図１３では右方向）に弾性変形可能となっている。例えば第２特別図柄用入賞検出センサ６２の交換する場合には、係止部６５による係止状態を解除して第２特別図柄用入賞検出センサ６２を後方に引き出すことができ、新たな第２特別図柄用入賞検出センサ６２を被装着部６０に装着することができる。
【００６４】
また、被装着部６０は、図７及び図１３に示すように、大入賞手段１６の平面視で第２特別図柄用入賞検出センサ６２の装着方向先端側の上面箇所を覆う被覆部６６を備えている。この被覆部６６は、支持凹部６３を構成する凹部天壁６３ａが該当する。また、この被覆部６６は、図１３に示すように平面視で第２特別図柄用入賞検出センサ６２の貫通孔６２ａに沿った円弧状としている。
【００６５】
また、大入賞手段１６は、図３、図５、図１３に示すように、第１特別図柄始動手段１５ａの上特別始動口３１と第２特別図柄始動手段１５ｂの下特別始動口３２と当該大入賞手段１６の大入賞口５１とについての第１〜第３排出通路（排出通路）７１〜７３を、当該大入賞手段１６の背面視で横並びに形成している。
【００６６】
具体的には、大入賞手段１６は、図３に示すように、第１特別図柄始動手段１５ａのための第１排出通路７１を背面視右側箇所に、第２特別図柄始動手段１５ｂのための第２排出通路７２を背面視中央箇所に、大入賞口５１のための第３排出通路７３を、第１排出通路７１と第２排出通路７２との間の箇所に備えている。
【００６７】
大入賞手段１６の第１排出通路７１は、図３、図１３に示すように、大入賞手段１６の背面視において、第１特別図柄始動手段１５ａの上特別始動口３１に入賞して特別図柄始動手段１５の横開口３９から右横方向に排出される遊技球を、右横向き下り傾斜で案内する横向き下り通路７１ａと、この横向き下り通路７１ａで案内された遊技球を背面視で手前方向（正面視では奥方向）に排出する排出部７１ｂと、を備えている。図７に示すように、第１特別図柄始動手段１５ａの上特別始動口３１に入賞した遊技球が図１１に示すように、湾曲通路面４３によって横開口３９から右横方向に排出され、この遊技球が横向き下り通路７１ａで横向き下り案内され、排出部７１ｂにより大入賞手段１６の正面視で奥側に排出される。なお、この排出部７１ｂは、遊技球を下方向に排出するようにしてもよい。
【００６８】
大入賞手段１６の第２排出通路７２は、図５、図７、図１０に示すように、第２特別図柄始動手段１５ｂの下特別始動口３２に入賞して下向き案内通路３８の排出口３８ｂから真下に排出された遊技球を通過検出する第２特別図柄用入賞検出センサ６２を備え、この第２特別図柄用入賞検出センサ６２を通過した遊技球を奥側斜め下方向に案内する案内リブ７２ａを備えている。図７に示すように、遊技盤７の断面視において、第２特別図柄用入賞検出センサ６２の貫通孔６２ａの一部が遊技盤７の装着孔２５ａに位置し、第２排出通路７２が案内リブ７２ａを備えているので、この貫通孔６２ａを通過した遊技球を第２排出通路７２の案内リブ７２ａによって奥側斜め下方向に案内でき、遊技盤７の裏面側に排出できるとともに、第２特別図柄用入賞検出センサ６２の大入賞手段１６奥側への突出量を低減できる。
【００６９】
大入賞手段１６の第３排出通路７３は、図５、図８に示すように、大入賞口５１に入賞して排出口５７ｅから奥側に出された遊技球を下方向に案内するように、後側箱部５４ｂの前側で大入賞用入賞検出センサ５６の貫通孔５６ａに対応する箇所に形成されている。この第３排出通路７３は、図８に示すように、その奥側上部箇所に、排出口５７ｅからの遊技球を下向きに案内する下り傾斜リブ７３ａを備えている。
【００７０】
また、第２特別図柄用入賞検出センサ６２は、図７に示すように、第１特別図柄始動手段１５ａの垂下通路３６の下方でホルダー部材２７ｂの底部（湾曲通路面４３）に対して隙間Ｄを空けて配設されている。
【００７１】
また、第１特別図柄用入賞検出センサ３７及び第２特別図柄用入賞検出センサ６２は、図７に示すように、その各貫通孔３７ａ，６２ａを垂下方向に向けた状態で上下に位置すると共に平面視で前記各貫通孔３７ａ，６２ａが重ならないように前後方向を逆向きに配設している。
【００７２】
また、特別図柄始動手段１５及び大入賞手段１６の遊技盤７への挿入状態（図２、図３参照）では、図３、図７に示すように、特別図柄始動手段１５の取り外しを大入賞手段１６が阻むように係止手段７５によって特別図柄始動手段１５が大入賞手段１６に係止している。
【００７３】
この係止手段７５は、図７に示すように、例えば大入賞手段１６の前飾り板５３の上端中央箇所（係止爪７５ａに相当）が、特別図柄始動手段１５の前飾り台板２８の下部箇所に形成された丸み角形状の段差部（被係止部７５ｂに相当）に係止する構成が挙げられる。
【００７４】
特別図柄始動手段１５の前飾り台板２８の遊技盤７へのネジ止めを解除し（図２に示すネジ４５を取り外し）、特別図柄始動手段１５を強く引っ張ると、大入賞手段１６の前飾り板５３の上端中央箇所  （係止爪７５ａ）が被係止部７５ｂの丸み形状に沿って逃げることで、係止爪７５ａとの係止状態が解除され、特別図柄始動手段１５を取り外すことが可能となっている。
【００７５】
なお、本実施形態では、大入賞手段１６に係止爪７５ａ（前飾り板５３の上端中央箇所の突出部分）を、特別図柄始動手段１５に被係止部７５ｂ（前飾り台板２８の下部箇所の段差部）を設けているが、大入賞手段１６に被係止部を、特別図柄始動手段１５に係止爪を設けるようにして、前記と同様に大入賞手段１６が特別図柄始動手段１５単体の引き出しを可能とする構成としてもよい。
【００７６】
また、大入賞手段１６は、図２、図４に示すように、その左右両側箇所に、普通入賞手段１８をそれぞれ備えている。この大入賞手段１６の普通入賞手段１８は、図９、図１２に示すように、遊技球が入賞可能に上向きに開口した普通入賞口８０と、この普通入賞口８０に入賞した遊技球を案内する案内路８１と、この案内路８１からの遊技球を下向きに案内する下向き誘導路８２と、この下向き誘導路８２の下流側に配設された、遊技球を通過検出する普通入賞用入賞検出センサ８３（例えば近接センサ）とを備えている。
【００７７】
以上説明したように、本実施形態のパチンコ機では、遊技球が流下する遊技領域１２を有する遊技盤７に、入賞した遊技球を遊技盤７の裏側へと案内する特別図柄始動手段１５と大入賞手段１６とを上下に隣接して設け、特別図柄始動手段１５に入賞した遊技球を検出する第２特別図柄用入賞検出センサ６２を、大入賞手段１６の背面視で当該大入賞手段１６の範囲内に形成した被装着部６０に装着する。したがって、特別図柄始動手段１５の第２特別図柄用入賞検出センサ６２を大入賞手段１６側に配設しているので、第２特別図柄用入賞検出センサ６２の収納部や当該収納部に後続する排出通路などを特別図柄始動手段１５から除去でき、その分、特別図柄始動手段１５を小型化できると共に特別図柄始動手段１５をさらに大入賞手段１６に近づけることができる。また、大入賞手段１６は、その背面視範囲内に、第２特別図柄用入賞検出センサ６２が装着される被装着部６０を形成しているので、大入賞手段１６自体が嵩高くなることもない。したがって、特別図柄始動手段１５及び大入賞手段１６の全高（全体の高さ）を小さくすることができる。その結果、遊技盤７の遊技領域１２や可動式演出手段（例えば可動式役物など）の配設領域を拡張できる。
【００７８】
また、被装着部６０は、前記範囲内のうち大入賞手段１６の上部側箇所で且つ特別図柄始動手段１５が対応する箇所に形成されている。つまり、大入賞手段１６のうちで特別図柄始動手段１５に近い箇所に第２特別図柄用入賞検出センサ６２を配設しているので、特別図柄始動手段１５の下流側に第２特別図柄用入賞検出センサ６２を設けている場合とほぼ同等のタイミングで入賞検出でき、特別図柄始動手段１５への入賞検出の遅れを遊技者が感じることがない。これに対して、大入賞手段１６の下部側に第２特別図柄用入賞検出センサ６２を備える場合では、前記構成よりも遅いタイミングで入賞検出することになり、特別図柄始動手段１５への入賞検出の遅れを遊技者が感じ易くなり、入賞検出の違和感から遊技に不信感を抱くおそれがある。
【００７９】
また、大入賞手段１６は、その背後側に、第２特別図柄用入賞検出センサ６２が着脱可能なように被装着部６０を露出形成しているので、例えば、大入賞手段１６側に設けられた第２特別図柄用入賞検出センサ６２が故障等した場合には、大入賞手段１６の背後側から第２特別図柄用入賞検出センサ６２を交換でき、大入賞手段１６を分解したり遊技盤７から取り外したりして第２特別図柄用入賞検出センサ６２を交換する必要がない。
【００８０】
また、大入賞手段１６は、入賞ケース５４に入球した遊技球を検出する大入賞用入賞検出センサ５６が取り付けられる被取付部５９を備え、当該被取付部５９に取り付けられた大入賞用入賞検出センサ５６の取り外し側箇所に、被装着部６０への装着状態の第２特別図柄用入賞検出センサ６２を配置している。つまり、大入賞用入賞検出センサ５６の取り外し側箇所に、被装着部６０への装着状態の第２特別図柄用入賞検出センサ６２が位置しているので、大入賞用入賞検出センサ５６の取り外しを抑止できる。つまり、第２特別図柄用入賞検出センサ６２を取り外した後でなければ、大入賞用入賞検出センサ５６を取り外すことができず、大入賞用入賞検出センサ５６の不正低減に優れる。
【００８１】
また、特別図柄始動手段１５は、遊技盤７の前側に形成されて遊技球が入賞可能な下特別始動口３２と、この下特別始動口３２に連通して遊技盤７の裏側へ遊技球を緩やかに下り傾斜案内する下側用奥行通路３０及び下向き案内通路３８と、この下向き案内通路３８の下流側に形成された下向きの排出口３８ｂと、を備え、第２特別図柄用入賞検出センサ６２は、遊技球が通過可能な貫通孔６２ａを備え、当該貫通孔６２ａへの遊技球の通過検知をするものであり、被装着部６０に装着された第２特別図柄用入賞検出センサ６２の貫通孔６２ａは、排出口３８ｂの直下に位置し、且つ、当該排出口３８ｂからの遊技球が入球可能としている。したがって、特別図柄始動手段１５の下側用奥行通路３０及び下向き案内通路３８は緩下傾斜としているので、特別図柄始動手段１５の下側用奥行通路３０及び下向き案内通路３８が存する底面箇所の下方突出量を小さくすることができ、遊技盤７の正面視で特別図柄始動手段１５が大入賞手段１６に当接又は近接した状態で配置できる。また、被装着部６０に装着された第２特別図柄用入賞検出センサ６２の貫通孔６２ａが排出口３８ｂの直下で連通しているので、大入賞手段１６自体が嵩高くなることもない。したがって、特別図柄始動手段１５及び大入賞手段１６の全高をより小さくすることができる。その結果、遊技盤７の遊技領域１２や可動式演出手段の配設領域をより拡張できる。
【００８２】
例えば、下側用奥行通路３０及び下向き案内通路３８は、入賞口部３２の下り傾斜（案内リブ３２ａ）よりも緩やかな下り傾斜とすることが挙げられる。なお、下側用奥行通路３０及び下向き案内通路３８の勾配は、例えば、その垂直距離（例えば遊技球の直径の１／４以下の距離）対水平距離（例えば遊技球の１個以上で２個以下の距離）の比とすることが挙げられる。この場合には、特別図柄始動手段１５の底面が大入賞手段１６の上面に当接又は近接（例えば１、２ミリ）させることができ、特別図柄始動手段１５を大入賞手段１６に隙間無く又は微小隙間（例えば１、２ミリ）程度にまで近づけた配置とすることができる。
【００８３】
また、特別図柄始動手段１５は、第１特別図柄始動手段１５ａと第２特別図柄始動手段１５ｂとが上下に隣接して配設されたものであり、第２特別図柄用入賞検出センサ６２は、第２特別図柄始動手段１５ｂに入賞した遊技球を検出し、第１特別図柄始動手段１５ａと第２特別図柄始動手段１５ｂと大入賞手段１６の各排出通路（第１〜第３排出通路７１〜７３）を大入賞手段１６の背面視で横並びに形成しているので、第１〜第３排出通路７１〜７３を大入賞手段１６の奥行方向に並べる構成に比べて大入賞手段１６の奥行長さを短くすることができ、奥行方向の省スペース化を図ることができる。
【００８４】
また、第１特別図柄始動手段１５ａはその案内通路を上側用奥行通路２９及び連通奥側通路３５と垂下通路３６とで構成し、この垂下通路３６の横開口３９からの遊技球を大入賞手段１６の横向き下り通路７１ａで受けて奥方向又は下方向に排出するので、連通奥側通路３５の奥側で横方向に屈折して垂下する横屈折後垂下通路を備える構成に比べて、特別図柄始動手段１５の横幅を小さくできる。具体的には、横屈折後垂下通路を備える構成では、当該横屈折後垂下通路が存する分だけ特別図柄始動手段１５の横幅が大きくなってしまうが、本願の第１特別図柄始動手段１５ａは奥行後に垂下する案内通路としており、前記の横屈折後垂下通路を備えていないので、特別図柄始動手段１５の横幅を小さくできる。また、大入賞手段１６の上面よりも高さの低い横向き下り通路７１ａで第１特別図柄始動手段１５ａからの遊技球を受けるので、大入賞手段１６の上面に突出した通路部を備える必要がなく、大入賞手段１６の高さが増すことを低減できる。
【００８５】
また、第１特別図柄用入賞検出センサ３７及び第２特別図柄用入賞検出センサ６２は、その各貫通孔３７ａ，６２ａを垂下方向に向けた状態で上下に位置すると共に平面視で各貫通孔３７ａ，６２ａが重ならないように前後方向に逆向き配設しているので、最小限の奥行き長さで第１特別図柄始動手段１５ａと第２特別図柄始動手段１５ｂとの二経路を形成することができる。
【００８６】
また、第２特別図柄用入賞検出センサ６２は、第１特別図柄始動手段１５ａの垂下通路３６の下方で隙間Ｄを空けて配設しているので、第１特別図柄始動手段１５ａの垂下通路３６を流下する遊技球が当該垂下通路３６の底部箇所に衝突する衝撃を、第２特別図柄用入賞検出センサ６２に伝達させないようにでき、第２特別図柄用入賞検出センサ６２の誤動作を低減でき、遊技球の連続衝撃に起因する第２特別図柄用入賞検出センサ６２の故障を低減できる。
【００８７】
また、第２特別図柄用入賞検出センサ６２の装着方向先端側の上面箇所が被覆部６６で覆われるので、例えば不正行為者が、第２特別図柄用入賞検出センサ６２の装着方向先端側を上方向に移動させて取り外そうとしても、上方向への取り外しが規制されており、不正行為を低減できる。
【００８８】
また、図７に示すように、特別図柄始動手段１５の前飾り台板２８の下部箇所の段差部（被係止部７５ｂ）は丸みを持たせた丸み角部としているので、この被係止部７５ｂの丸み角部と装着孔２５との遊びの関係もあって、ネジ４５（図２参照）を外した状態で特別図柄始動手段１５を強く引っ張ると、大入賞手段１６の前飾り板５３の上端中央箇所（係止爪７５ａ）が被係止部７５ｂの丸み形状に沿って逃げることで、係止爪７５ａとの係止状態が解除され、特別図柄始動手段１５を取り外すことが可能となっている。
【００８９】
また、係止手段７５により、２つの遊技部品（特別図柄始動手段１５と大入賞手段１６）を係止した状態とすることができ、その係止状態でルータ孔（装着孔２５）に装着できるので、当該２つの遊技部品を共通のルータ孔（装着孔２５）に安定的に取り付けることができる。また、係止手段７５により、２つの遊技部品（特別図柄始動手段１５と大入賞手段１６）を係止した状態とすることができ、当該２つの遊技部品（特別図柄始動手段１５と大入賞手段１６）の取り付け時の高さ方向の厚みを、できるだけ小さくする（近づける）ことができる。また、当該２つの遊技部品毎に別個のルータ孔（装着孔）を遊技盤７にそれぞれ形成する必要がない。
【００９０】
また、大入賞手段１６（第２入賞手段）単体を他機種のパチンコ機に使用することが可能である。つまり、前述した実施形態のように、特別図柄始動手段１５（第１入賞手段）の第２特別図柄用入賞検出センサ６２（第１入賞用検出手段）を装着する必要があるパチンコ機の場合には、大入賞手段１６の被装着部６０に第２特別図柄用入賞検出センサ６２を装着して当該大入賞手段１６を使用することができる。また、第１入賞手段（特別図柄始動手段１５）の第２特別図柄用入賞検出センサ６２を装着する必要がないパチンコ機の場合には、大入賞手段１６の被装着部６０に第２特別図柄用入賞検出センサ６２を装着しない状態で当該大入賞手段１６を使用することができ、第２排出通路７２（排出通路）を通して遊技球を排出できる。このため、大入賞手段１６（第２入賞手段）について遊技部品の共通化を図ることができ、大入賞手段１６（第２入賞手段）のリユース（再利用）が容易になる。
【００９１】
以上、本発明の実施形態について詳述したが、本発明はこれらの実施形態に限定されるものではなく、本発明の趣旨を逸脱しない範囲で種々の変更が可能である。
【００９２】
前述した実施形態では、例えば、２個の始動口（上特別始動口３１及び下特別始動口３２）を有する特別図柄始動手段１５（第１入賞手段）を例に挙げて説明しているが、単一の始動口を有する第１入賞手段としてもよい。例えば、前述した実施形態の特別図柄始動手段１５から第１特別図柄始動手段１５ａを除去して第２特別図柄始動手段１５ｂのみとした構成が挙げられる。また、この第２特別図柄始動手段１５ｂのみとした構成の場合には、開閉式の下特別始動口３２を常時開放式の始動口に替えてもよい。
【００９３】
また、前述した実施形態では、図３に示すように、第２特別図柄用入賞検出センサ６２を、大入賞手段１６の背面視で入賞ケース５４の横幅方向中央で上部側箇所に配設しているが、入賞ケース５４のそれ以外の箇所に配設するようにしてもよい。
【００９４】
また、大入賞手段１６は、図４に示すように、その左右両側箇所に、普通入賞手段１８をそれぞれ備えているが、普通入賞手段１８を備えない構成としてもよい。また、大入賞手段１６の左右外側に位置し遊技盤７に配設された普通入賞手段１８も備えたユニット構成としてもよい。
【００９５】
また、前述した実施形態では、図１２に示すように、特別図柄始動手段１５は、非開閉式の上特別始動口３１と、開閉式の下特別始動口３２とを備えているが、開閉式の特別始動口を上側に、非開閉式の特別始動口を下側に配置した構成としてもよいし、非開閉式の特別始動口を上下に２個以上配設してもよいし、開閉式の特別始動口を上下に２個以上配設してもよい。
【００９６】
前述した実施形態では、図３、図５に示すように、大入賞手段１６の第１〜第３排出通路７１〜７３、つまり、第１特別図柄始動手段１５ａのための第１排出通路７１を背面視右側箇所に、第２特別図柄始動手段１５ｂのための第２排出通路７２を背面視中央箇所に、大入賞口５１のための第３排出通路７３を、第１排出通路７１と第２排出通路７２との間の箇所に備えているが、大入賞手段１６の第１〜第３排出通路７１〜７３は種々の順番に横並び配置してもよい。また、大入賞手段１６の背面視で横幅方向の中央箇所から右側箇所に第１〜第３排出通路７１〜７３を配置しているが、中央箇所から左側箇所に配置してもよいし、中央箇所にある排出通路を配置しその両側に残りの排出通路を配置するなどとしてもよい。
【００９７】
前述した実施形態では、図７に示すように、特別図柄始動手段１５の前飾り台板２８の下部箇所の段差部（被係止部７５ｂ）は丸みを持たせた丸み角部としているので、この被係止部７５ｂの丸み角部と装着孔２５との遊びの関係もあって、ネジ４５（図２参照）を外した状態で特別図柄始動手段１５を強く引っ張ると、大入賞手段１６の前飾り板５３の上端中央箇所（係止爪７５ａ）が被係止部７５ｂの丸み形状に沿って逃げることで、係止爪７５ａとの係止状態が解除され、特別図柄始動手段１５を取り外すことが可能となっているが、段差部（被係止部７５ｂ）を丸み形状ではなく直角形状等の角部とすることで、特別図柄始動手段１５を強く引っ張ったとしても係止爪７５ａが被係止部７５ｂに係止したままであり、特別図柄始動手段１５が取り外せないようにしてもよい。
【００９８】
つまり、特別図柄始動手段１５及び大入賞手段１６は、遊技盤７に形成された装着孔２５に挿入して装着され、特別図柄始動手段１５及び大入賞手段１６の遊技盤７への挿入状態では特別図柄始動手段１５の取り外しを大入賞手段１６が阻むように係止手段７５によって特別図柄始動手段１５が大入賞手段１６に係止しているので、特別図柄始動手段１５の遊技盤７への装着を解除（図２に示すネジ４５の取り外し）しても特別図柄始動手段１５と大入賞手段１６との係止状態が解除されておらず（特別図柄始動手段１５の段差部（被係止部７５ｂ）の角部が大入賞手段１６の前飾り板５３の上端（係止爪７５ａ）に係止されたままである）、特別図柄始動手段１５の取り外しを大入賞手段１６が阻み、その大入賞手段１６についても遊技盤７への装着を解除することでようやく特別図柄始動手段１５が取り外し可能となる。よって、不正行為が懸念される特別図柄始動手段１５に対する不正行為を低減する効果を有する。具体的には、不正行為者が、特別図柄始動手段１５を遊技盤７に締結する締結手段（本実施形態では図２に示す前飾り台板２８の２箇所のネジ孔に挿入される２本のネジ４５）を不正に解除したとしても、この特別図柄始動手段１５が大入賞手段１６に係止されたままであり、遊技盤７から取り外せないため、特別図柄始動手段１５に比べて締結手段の多い大入賞手段１６についてもその締結（本実施形態では図２に示す前飾り板５３の４箇所のネジ孔に挿入される４本のネジ８５）を解除しなければ、特別図柄始動手段１５を取り外すことができない。したがって、特別図柄始動手段１５を不正に取り外す不正行為を低減することができる。
【００９９】
なお、前述した実施形態又は変形例では、大入賞手段１６に係止爪７５ａ（前飾り板５３の上端中央箇所の突出部分）を、特別図柄始動手段１５に被係止部７５ｂ（前飾り台板２８の下部箇所の段差部）を設けているが、大入賞手段１６に被係止部を、特別図柄始動手段１５に係止爪を設けるようにして、前記と同様に大入賞手段１６が特別図柄始動手段１５単体の引き出しを規制する（引き出し不可としてもよいし、強く引き出すことで引き出し可能としてもよい。以下同じ。）構成としてもよい。
【０１００】
前述した実施形態では、特別図柄始動手段１５及び大入賞手段１６の遊技盤７の装着孔２５に挿入した状態において、大入賞手段１６が特別図柄始動手段１５単体の引き出しを規制する構成としているが、それとは逆に、特別図柄始動手段１５が大入賞手段１６単体の引き出しを規制する構成としてもよい。例えば、大入賞手段１６に係止爪（あるいは被係止部）を、特別図柄始動手段１５に被係止部（あるいは係止爪）を設け、大入賞手段１６単体の引き出しの際にこの大入賞手段１６の係止爪（あるいは被係止部）が特別図柄始動手段１５の被係止部（あるいは係止爪）に係止されて、大入賞手段１６単体の引き出しが規制されるとしてもよい。
【０１０１】
また、上述した複数の実施形態のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【０１０２】
７    遊技盤
１２    遊技領域
１５    特別図柄始動手段（第１入賞手段）
１５ａ  第１特別図柄始動手段（第１上側入賞手段）
１５ｂ  第２特別図柄始動手段（第１下側入賞手段）
１６    大入賞手段（第２入賞手段）
２５    装着孔
２９    上側用奥行通路（上側入賞用奥行通路）
３０    下側用奥行通路（奥行案内通路）
３１    上特別始動口（上側入賞口部）
３２    下特別始動口（入賞口部）
３５    連通奥側通路（上側入賞用奥行通路）
３６    垂下通路
３７    第１特別図柄用入賞検出センサ（第１上側入賞用検出手段）
３７ａ  貫通孔
３８    下向き案内通路（奥行案内通路）
３８ｂ  排出口
３９    横開口
６２    第２特別図柄用入賞検出センサ（第１入賞用検出手段、第１下側入賞用検出手段）
６２ａ  貫通孔
７１    第１排出通路（排出通路）
７１ａ  横向き下り通路
７１ｂ  排出部
７２    第２排出通路（排出通路）
７３    第３排出通路（排出通路）
７５    係止手段
【図１】
2013192843.tif 000003
【図２】
2013192843.tif 000004
【図３】
2013192843.tif 000005
【図４】
2013192843.tif 000006
【図５】
2013192843.tif 000007
【図６】
2013192843.tif 000008
【図７】
2013192843.tif 000009
【図８】
2013192843.tif 000010
【図９】
2013192843.tif 000011
【図１０】
2013192843.tif 000012
【図１１】
2013192843.tif 000013
【図１２】
2013192843.tif 000014
【図１３】
2013192843.tif 000015
【図１４】
2013192843.tif 000016
【図１５】
2013192843.tif 000017